(57)【要約】【課題】取り付け状態での識別性が高く、かつ、確実に取り付けることができる飲食器用装飾具を提供することができる。【解決手段】飲食器用装飾具１においては、凹部２１を有する装飾具本体２と、可撓性の材料により形成される取り付け部３と、を備え、前記取り付け部３は、グラスＧの上端周縁を挟持する挟持片３２、３２’と、前記装飾具本体２を連結可能であり、取り付け状態においてグラスＧの上端の上方に突出する突出部と、を有する。【選択図】図２
0003159911.tif 000002
【実用新案登録請求の範囲】
【請求項１】
凹部を有する装飾具本体と、
可撓性の材料により形成される取り付け部と、を備え、
前記取り付け部は、
飲食器の上端周縁を挟持する挟持片と、
前記凹部と連結可能であり、飲食器への取り付け状態において飲食器の上端の上方に突出する突出部と、
を有することを特徴とする飲食器用装飾具。
【請求項２】
前記取り付け部は、シリコン樹脂により形成されることを特徴とする請求項１記載の飲食器用装飾具。
【請求項３】
前記装飾具本体は、凸部が形成される装飾具本体部と、両端に連結凹部が形成される連結部材と、を有し、
前記連結部材は、
一端側の前記連結凹部が前記凸部と連結し、
他端側の前記連結凹部が前記凹部として前記突出部と連結可能となることを特徴とする請求項１又は２記載の飲食器用装飾具。
【考案の詳細な説明】
【技術分野】
【０００１】
本考案は、飲食器を装飾する飲食器用装飾具に関する。
【背景技術】
【０００２】
従来より、飲食器に取り付けて、飲食器を装飾する飲食器用装飾具が知られている。この飲食器用装飾具は、例えば、装飾具本体と取り付け部からなり、グラスの上部周縁に取り付け部をひっかけて、装飾具本体をグラスからぶら下げるようにして使用される（特許文献１）。
【先行技術文献】
【特許文献】
【０００３】
【特許文献１】実用新案登録第３１５３９４４号公報
【考案の概要】
【考案が解決しようとする課題】
【０００４】
しかし、特許文献１記載の飲食器用装飾具は、グラスの側面に装飾具本体をぶら下げるようしているために、装飾部分を見せるためには、装飾具本体を見せる対象と対向する位置に移動させる必要がある。また、テーブルにグラスが複数置いてある場合には、場所を取るばかりでなく、装飾部分となる装飾具本体は他のグラスに隠れて見えないという問題がある。また、特許文献１記載の飲食器用装飾具は、グラスに単にひっかけて取り付けているために、グラスを移動させた場合に、位置がずれてしまうという問題があった。このことは、特に、グラス内の飲料を飲む場合には、グラスを傾けることで、グラスの使用者の口元に飲食器用装飾具が移動してくるために、飲食器用装飾具と接触してグラスの使用者が怪我をしてしまう恐れもあり、グラス使用の度に、グラスの使用者に不安感を与えるという問題につながってしまう。
【０００５】
本考案は、上述した問題に鑑みてなされたものであって、取り付け状態での識別性が高く、かつ、確実に取り付けることができる飲食器用装飾具の提供を目的とする。
【課題を解決するための手段】
【０００６】
（１）の飲食器用装飾具は、凹部を有する装飾具本体と、可撓性の材料により形成される取り付け部と、を備え、前記取り付け部は、飲食器の上端周縁を挟持する挟持片と、前記装飾具本体を連結可能であり、取り付け状態において飲食器の上端の上方に突出する突出部と、を有する。
【０００７】
（１）によれば、飲食器用装飾具は、取り付け状態において飲食器の上端の上方に突出する突出部に装飾具本体が連結されるために、装飾具本体が飲食器への取り付け状態において、飲食器の上方に突出するために、識別性を高めることができる。また、挟持片により、飲食器の上端周縁に取り付けるために、飲食器に確実に取り付けることができる。
【０００８】
（２）の飲食器用装飾具は、（１）において、前記取り付け部は、シリコン樹脂により形成される。
【０００９】
（２）によれば、飲食器用装飾具は、取り付け部がシリコン樹脂により形成されているために、挟持片においては、材質の摩擦抵抗が高いために、食器類への取り付けをさらに確実にすることができ、突起部においては、装飾具本体と取り付け部との連結をさらに確実にすることができる。
【００１０】
（３）の飲食器用装飾具は、（１）又は（２）において、前記装飾具本体は、凸部が形成される装飾具本体部と、両端に連結凹部が形成される連結部材と、を有し、前記連結部材は、一端側の前記連結凹部が前記凸部と連結し、他端側の前記連結凹部が前記凹部として前記突出部と連結可能となるように構成される。
【００１１】
（３）によれば、飲食器用装飾具においては、凸部と連結部材とを連結することで、他端に凹部として機能する連結凹部により、装飾具本体と取り付け部とを確実に連結させることができる。
【考案の効果】
【００１２】
本考案によれば、取り付け状態での識別性が高く、かつ、確実に取り付けることができる。
【図面の簡単な説明】
【００１３】
【図１】本考案の第１の実施形態に係る飲食器用装飾具のグラスに取り付けた状態を示す外観図である。
【図２】第１の実施形態の飲食器用装飾具を示す図で、（ａ）は図１とは異なる装飾具本体からなる飲食器用装飾具の外観図、（ｂ）は装飾具本体の取り付け部への連結を示す要部断面図、（ｃ）はグラスへの取り付け状態における要部断面図である。
【図３】第２の実施形態の飲食器用装飾具を示す図で、（ａ）は図１及び図２（ａ）とは異なる装飾部本体からなる飲食器用装飾具の外観を示す図、（ｂ）は連結具を介しての装飾具本体と取り付け部との連結を示す要部断面図、（ｃ）はグラスへの取り付け状態における要部断面図である。
【図４】第３の実施形態の飲食器用装飾具を示す図で、（ａ）は装飾具本体と取り付け部との連結を示す要部断面図、（ｂ）はグラスへの取り付け状態における要部断面図である。
【考案を実施するための形態】
【００１４】
＜第１の実施形態＞
以下、本考案の第１の実施形態について、図１及び図２を用いて説明する。図１は、本考案の第１の実施形態に係る飲食器用装飾具１のグラスＧに取り付けた状態を示す外観図である。図２は、第１の実施形態の飲食器用装飾具１を示す図で、図２（ａ）は図１とは異なる装飾具本体２からなる飲食器用装飾具１の外観図、図２（ｂ）は装飾具本体２の取り付け部３への連結を示す要部断面図、図２（ｃ）はグラスＧへの取り付け状態における要部断面図である。
【００１５】
本考案に係る飲食器用装飾具１は、図１に示すように、飲食器（本実施形態においては、グラスＧ）に取り付けて、飲食器を装飾すると共に、飲食器用装飾具１が取り付けられた飲食器を他の飲食器とを区別するために用いられる。例えば、多数の人が集まるパーティ等において、参加者が使用する飲食器に参加者に対応した装飾具を取り付けることにより、参加者を識別するために用いることができる。
【００１６】
飲食器用装飾具１は、図１及び図２に示すように、装飾具本体２と、装飾具本体２を保持してグラスＧに取付ける取り付け部３とを備える。
【００１７】
装飾具本体２は、本実施形態においては、例えば、図１に示すように、指輪を模して形成した模造品や図２に示すように、蝶を模して形成した模造品を含んで装飾部分や、後述する図３のように花を模して形成した模造品を含んで構成される。なお、装飾具本体２の装飾部分は、用途に応じて、動植物やキャラクター等の取り付けられる飲食器に彩りを加えるものに限られず、種々の形態で構成可能であり、単に飲食器を他の飲食器から識別可能なものでもよく、例えば、使用者の名前が記載された名札のようなものにより構成してもよい。
【００１８】
また、装飾具本体２は、形態や用途に応じて、塗装やめっき等の種々の加工を施してもよい。例えば、洗浄を考慮する場合には、装飾具本体２は、錆びないステンレス材料により形成されることが好ましい。
また、装飾具本体２は、下部には後述する取り付け部３の突出部３１に対応する凹部２１を有する。
【００１９】
取り付け部３は、可撓性を有し、弾性変形可能なシリコン樹脂により形成される。また、取り付け部３は、取り付け部３分により装飾部分の美観を損ねないように白色や黒、透明ものもが選択され、装飾部分に対して極力小さく形成される。
また、取り付け部３は、突出部３１と、挟持片３２、３２’と、挟持片３２、３２’と突出部３１とを接続する接続部３３とを有する。
【００２０】
突出部３１は、円柱形状であり、装飾具本体２に対応した大きさに形成される。具体的には、突出部３１は、凹部２１よりもやや大径に形成される。突出部３１は、シリコン樹脂により形成されるために、凹部２１を取り付けた場合には、弾性変形した状態となる。このために、飲食器用装飾具１においては、取り付け部３から装飾具本体２が外れにくくなる。
【００２１】
また、突出部３１は、少なくとも、凹部２１に対応する長さに形成される。
この際、突出部３１は、凹部２１に連結される部分よりも長い余剰部分を設けるような長さにすることで、グラスへの取り付け部３分から装飾具本体２を離すことができるため、装飾具本体２のグラスへの接触を避けることができる。これにより、飲食器用装飾具１においては、例えば、グラスや飲食器用装飾具１に衝撃が加わった場合でも、装飾具本体２とグラスとが衝突しないために、互いの損傷を避けるように構成することができる。
【００２２】
挟持片３２、３２’は、グラスＧの取り付け状態において、グラスＧの開放端部を両面から挟み込んでグラスＧを挟持可能な脚状に形成される。
挟持片３２、３２’は、グラスＧを挟持するために、グラスＧへの非取り付け状態においては、図２（ｂ）に示すように、グラスＧの開放端の厚さよりも、小さい間隔に配置されるように形成される。このように形成されることで、グラスＧへの取り付け状態においては、図２（ｃ）に示すように、挟持片３２、３２’が弾性変形してグラスＧに取り付けられる。このため、飲食器用装飾具１は、挟持片３２、３２’の弾性力（原形復帰する力）を利用してグラスＧを挟持するためにグラスＧから外れにくくなる。また、挟持片３２、３２’は、シリコン樹脂により形成されているために、グラスＧの取り付けによりグラスＧを傷つけてしまうことがない。
【００２３】
なお、挟持片３２、３２’は、例えば、グラスＧへの取り付け、グラスＧの取り付け状態において、不用意に外れない程度や、グラスＧから取り外しにくくない程度等を考慮して挟持力を構成する大きさや位置が決定される。
【００２４】
また、挟持片３２、３２’の先端には、挟持片３２、３２’が対向する部分に面取り部３４が形成されている。飲食器用装飾具１においては、面取り部３４により、グラスＧの取り付け時にひっかかりがなくなると共に、挟持面積を多くすることができグラスＧへの飲食器用装飾具１の取り付けの安定性を高めることができる。
【００２５】
接続部３３は、突出部３１と挟持片３２、３２’とを接続するように機能し、装飾具本体２の連結状態において装飾具本体２の辺縁と接触するように構成すれば、装飾具本体２のグラつきを防止する台座としても機能する。
【００２６】
以上のように構成される取り付け部３は、突出部３１と挟持片３２、３２’と接続部３３とを一体に形成される。また、取り付け部３は、図２（ｂ）に示すように、上方に突出部３１が突出し、下方に挟持片３２、３２’が突出するように構成されると共に突出部３１と挟持片３２、３２’と接続部３３とが一体で形成されるために、簡単に製造することができる。また、突出部３１と挟持片３２、３２’と接続部３３とを図２（ｂ）の奥行き方向において同様の長さに設定すれば、例えば、押出成形等によりさらに容易に形成することができる。
【００２７】
なお、本実施形態において、取り付け部３は、シリコン樹脂を一体成型して形成するように説明したがこれに限られない。取り付け部３は、少なくとも挟持片３２、３２’をシリコン樹脂により形成することが好ましいがこれに限られない。例えば、芯材を硬質の合成樹脂により形成し、表面部分（少なくとも、挟持片３２、３２’）にシリコン樹脂を被覆して形成しても、挟持片３２、３２’をバネ性の高い部材で形成して、グラスＧの損傷を考慮してグラスＧとの接触部分のみ保護材を被覆するように形成してもよい。また、取り付け部３は、各部位（突出部３１、挟持片３２、３２’及び接続部３３）を別々に形成してから接着等して形成してもよい。また、取り付け部３は、シリコン樹脂により形成されることに限られず、弾性変形可能な材料であればよい。
【００２８】
次に、飲食器用装飾具１は、上述したように構成される取り付け部３の突出部３１に、装飾具本体２の凹部２１を押し込むことにより、取り付け部３と装飾具本体２とを連結することにより形成することができる。
【００２９】
次に、グラスＧへの飲食器用装飾具１の取り付けは、挟持片３２、３２’の先端の面取り部３４をグラスＧの開放端の淵に当てて、飲食器用装飾具１をグラスＧの淵（上端辺縁）の方向に押し込む。飲食器用装飾具１を押し込むことによって、グラスＧの淵に接触した挟持片３２、３２’が開方向に徐々に押しのけられる。この際、挟持片３２、３２’には面取り部３４が設けられているために、挟持片３２、３２’が開方向に容易に押しのけられ、グラスＧへの取り付け操作が容易になる。
【００３０】
さらに、飲食器用装飾具１を押し込んで、連結部とグラスＧの上端部を接触させることにより、図２（ｃ）に示すように、グラスＧへの飲食器用装飾具１が完了する。
この際、挟持片３２、３２’と連結部とがグラスＧに接しているために、摩擦力によりグラスＧから不用意に移動したりすることがなく安定して、飲食器用装飾具１をグラスＧに保持させることができる。
【００３１】
以上のように構成される飲食器用装飾具１は、グラスＧの上端から突出して装飾具本体２が取り付けられるために、グラスＧの周囲から装飾具本体２を識別することができる。また、グラスＧの上端から突出して装飾具本体２が取り付けられるために、周縁に取り付けられている場合に比して、側方への突出部３１分が少ないため、面積を多くとることがなく、例えば、装飾具本体２に妨げられずにグラスＧを並べることができる。
【００３２】
また、飲食器用装飾具１は、挟持片３２、３２’によりグラスＧを挟持して、グラスＧに取り付けられているために、グラスＧを使用した際（例えば、グラスＧを傾けたり等）にも、グラスＧの淵を移動してしまったり、グラスＧから外れてしまったりすることがない。
【００３３】
また、飲食器用装飾具１は、挟持片３２、３２’がシリコン樹脂により形成されるために、弾性変形の復元力によりグラスＧの取り付け部３分を挟持するために安定したグラスＧへの保持が可能になる。
【００３４】
また、グラスＧへの取り付け状態において、グラスＧとの接点部分（挟持部の面取り部３４や連結部）がシリコン樹脂により形成されているために、摩擦抵抗により、さらに、安定したグラスＧへの保持が可能になる。
【００３５】
＜第２の実施形態＞
以下、本考案の第２の実施形態について、図３を用いて説明する。第２の実施形態については、上述した第１の実施形態と異なる点を主に説明し、同様の点は、同一の符号を付して説明を省略する。特に説明しない点は、第１の実施形態についての説明が適宜適用される。図３は、第２の実施形態の飲食器用装飾具１を示す図で、図３（ａ）は図１及び図２（ａ）とは異なる装飾部本体からなる飲食器用装飾具１の外観を示す図、図３（ｂ）は連結具を介しての装飾具本体２と取り付け部３との連結を示す要部断面図、図３（ｃ）はグラスＧへの取り付け状態における要部断面図である。
【００３６】
第２の実施形態の飲食器用装飾具１は、図３（ｂ）に示すように、装飾具本体２が装飾具本体部２２と連結部材４とにより構成される。
【００３７】
装飾具本体２は、装飾具本体部２２と連結部材４とを有する。
装飾具本体部２２は、凸部２３を有する。
連結部材４は、両端に連結凹部が形成される。連結凹部は、一端側は凸部２３に対応し、他端側は、突出部３１突出部３１に対応して凹状の部分が形成される。本実施形態においては、連結部材４は、製造性を考慮して、凹部２１ではなく、装飾具本体２側の凸部２３と取り付け部３側の突出部３１に対応した径の連結部材４の中央を貫通する貫通孔４１（連結凹部）が形成される。
【００３８】
また、連結部材４は、ゴム製の材質により形成されることが好ましく、例えば、シリコン樹脂により形成されることが好ましい。この際、装飾具本体２側の凸部２３と取り付け部３側の突出部３１に対応する貫通孔４１は、装飾具本体２側の凸部２３と取り付け部３側の突出部３１よりもやや小径に形成することが好ましい。このように構成することで、凸部２３や突出部３１が貫通孔４１から外れにくくなる。
【００３９】
第２の実施形態における装飾具本体２と取り付け部３との連結は、装飾具本体２の凸部２３を連結部材４の対応する一方の貫通孔４１に挿入し、取り付け部３の突出部３１を連結部材４の対応する他方の貫通孔４１に挿入することにより連結される。
【００４０】
このように構成される飲食器用装飾具１においては、凸部２３を有する装飾具本体２と突出部３１を有する取り付け部３を、連結部材４に形成される貫通孔４１により連結するために、装飾具本体２と取り付け部３とを連結させることができる。また、飲食器用装飾具１においては、連結部材４により装飾具本体２と取り付け部３が連結されているために、グラスＧを使用した場合（例えば、グラスＧを傾ける等）でも、装飾具本体２をグラスＧに確実に保持させることができる。
【００４１】
＜第３の実施形態＞
以下、本考案の第３の実施形態について、図４を用いて説明する。第３の実施形態については、上述した第１の実施形態と異なる点を主に説明し、同様の点は、同一の符号を付して説明を省略する。特に説明しない点は、第１の実施形態についての説明が適宜適用される。図４は、第３の実施形態の飲食器用装飾具１を示す図で、（ａ）は装飾具本体２と取り付け部３との連結を示す要部断面図、（ｂ）はグラスＧへの取り付け状態における要部断面図である。
【００４２】
第３の実施形態の飲食器用装飾具１は、図４（ａ）に示すように、挟持片３２、３２’がグラスＧの被取り付け部分の形状（グラスＧの内側へ湾曲している形状）に対応した形状に傾斜して形成される。なお、本実施形態においては、挟持片３２、３２’は、両方に対して、グラスＧの傾斜に対応して形成するわけではなく、一方のみ（本実施形態においては、挟持片３２）がグラスＧの傾斜に対応するように形成される。このように形成することにより、飲食器用装飾具１は、取り付ける対象の形状に応じて取り付ける向きが限定されるものの、両方に形成した場合に比して、小型にすることができる。また、取り付ける対象の断面が外向きに湾曲している場合には、逆向きに取り付けることにより対応することができる。また、このようにグラスの傾斜に対応するように形成した場合にあっては、グラスの挟み込み量を少なくすれば、各種の形状のグラスに広く適用することができる。
【００４３】
飲食器用装飾具１は、図４（ｂ）に示すように、グラスＧへの取り付け状態において、一方の挟持片３２がグラスＧの取り付け部分の形状を吸収して、突出部３１をグラスＧに対して垂直方向に配置させることができるために、装飾具本体２をグラスＧの上方に配置させることができる。このため、装飾具本体２が傾いて配置されることがない。
【００４４】
また、飲食器用装飾具１は、図４（ｂ）に示すように、グラスＧの取り付け状態において、グラスＧの上端の内周面と挟持片３２の内側部分とが接触する。このようにグラスＧの上端の内周面と挟持片３２の内側部分とが接触することにより、飲食器用装飾具１においては、挟持部分に加えて、グラスＧと接触する挟持片３２の内側部分が摩擦抵抗面となる。このため、飲食器用装飾具１は、グラスＧを使用した場合等でも飲食器用装飾具１がグラスＧから移動してしまうことがなくさらに高い取り付け安定性を得ることができる。
【００４５】
なお、本実施形態においては、挟持片３２の傾きをグラスＧに対応する形に形成して、グラスＧの内周の傾斜に対応したがこれに限られず、グラスＧの取り付け状態においてグラスＧの上端から突出部３１が突出するように構成されればよく、例えば、グラスＧの傾き状態を考慮して、接続部３３からの突出部３１の角度を変更するようにして構成してもよい。
【００４６】
以上、本考案に係る飲食器用装飾具１の好適な実施形態について説明したが、本考案に係る飲食器用装飾具１は、上述した実施形態に限定されることなく種々の形態で実施することができる。
【００４７】
なお、本実施形態において、グラスＧは、飲食器の一例としてグラスＧを用いたがこれに限られない。グラスＧとしては、飲食器用装飾具１が取り付け可能な取り付け部分（例えば、略上方に開放する淵等）が設けられるものであればよく、例えば、皿や小鉢等でもよい。
【００４８】
また、飲食器用装飾具１においては、装飾具本体２に凹状の凹部２１を設け、取り付け部３に凸状の突出部３１を設けたがこれに限られず、対応関係を逆にして、凹状部分を取り付け部３に設け、凸状部分を装飾具本体２に設けるように構成することが可能である。
【符号の説明】
【００４９】
１    飲食器用装飾具
２    装飾具本体
３    取り付け部
４    連結部材
２１    凹部
２２    装飾具本体部
２３    凸部
３１    突出部
３２、３２’    挟持片
４１  連結凹部
【図１】
0003159911.tif 000003
【図２】
0003159911.tif 000004
【図３】
0003159911.tif 000005
【図４】
0003159911.tif 000006